(57)【要約】【課題】通信販売において、購入希望者が選択した環境における商品の色やイメージを表示装置上で確認できる商品確認装置およびその装置を用いたショッピングシステムを提供する。【解決手段】蛍光灯１０１によりカラーパッチを撮影し、色成分の検出データを生成する。この検出データと標準光Ｄ５０・１００によるプロファイルから色差を算出して蛍光灯１０１の歪みデータを生成する。同様の手順により、白熱灯１０２および太陽光１０３の歪みデータを生成する。生成された歪みデータは、光源別特性データとして記憶装置２０に格納される。商品確認装置に入力された商品の撮影データは、記憶装置２０に格納されている光源別特性データから読み出された所望の光源の特性データにより変換され、表示装置によって表示される。【選択図】  図１
2004280681.tif 000002
【特許請求の範囲】
【請求項１】
標準光による色信号と、標準光と異なる光源によりカラーパッチを撮影したデータとから、色差を算出して標準光と異なる光源の歪みデータを生成する歪みデータ生成手段と、
１つまたは複数の標準光と異なる光源の前記歪みデータを光源別特性データとして格納する光源別特性データ記憶手段と、
標準光により撮影された商品の撮影データを入力する商品データ入力手段と、前記記憶手段に格納された光源別特性データから選択した光源の特性データを読み出す光源選択手段と、
前記商品データ入力手段から入力されたデータと、前記光源選択手段により読み出された特性データとから、選択された光源による前記商品の撮影データを生成する撮影データ生成手段と、
該撮影データ生成手段により生成された撮影データに基づく商品の画像を表示する表示手段と、
を具備することを特徴とする商品確認装置。
【請求項２】
前記光源別特性データ記憶手段は、標準光と異なる各光源の歪みデータに加えて、商品を撮影するカメラの位置および光源の位置と数を変えた場合の歪みデータを各撮影環境の特性データとして格納することを特徴とする請求項１に記載の商品確認装置。
【請求項３】
請求項１に記載の商品確認装置と、該商品確認装置と通信網を接続してデータの送信および受信を行う第１の通信手段とを備える通信販売装置と、
商品を指定する番号、商品撮影の環境条件を選択するデータを入力するデータ入力手段と、該データ入力手段から入力されたデータに基づき前記通信販売装置から通信網を介して商品の撮影データを取得する第２の通信手段と、該第２の通信手段により取得された商品データを表示する表示手段とを備える端末装置と、
を具備することを特徴とするショッピングシステム。
【請求項４】
前記商品確認装置の撮影データ生成手段は、光源の種類、光源の位置と数、カメラの位置を変えて商品を撮影した撮影データに基づくバーチャルデータを生成し、前記第１の通信手段は、前記バーチャルデータを格納し、前記通信網を介して受信した前記端末装置からの撮影環境を選択するデータに基づいて当該商品の前記バーチャルデータを送信することを特徴とする請求項３に記載のショッピングシステム。
【請求項５】
前記通信販売装置は、遠隔操作可能なカメラと、遠隔操作により光源の種類、位置および数を変えることが可能な光源とをさらに有し、前記端末装置から受信した商品の撮影環境を選択するデータに基づいてカメラ撮影位置と光源を設定して商品の撮影データを生成し、送信することを特徴とする請求項３に記載のショッピングシステム。
【発明の詳細な説明】
【０００１】
【発明の属する技術分野】
この発明は、購入者が商品を直接見て確認できない通信販売において、購入者が所望の環境における商品の色やイメージを表示装置上で確認できる商品確認装置およびその装置を用いたショッピングシステムに関する。
【０００２】
【従来の技術】
近年、通信販売が広く利用されるようになり取り扱われる商品も多岐にわたっている。また、通信販売を利用した商品の購入方法も様々である。一般的には、街中で配られる、あるいは自宅へ配送される通信販売カタログやテレビで放映されるショッピング番組を見て、購入を希望する商品を選択し、電話やＦＡＸなどで注文を行う。ここで、購入希望者が見る商品は、テレビのショッピング番組の場合、テレビ局のスタジオで商品が映えるように十分な光の中で撮影された商品の映像である。また、通信販売カタログに掲載される商品の写真は、適量な光線をかもし出すスタジオで撮影され、通常のカラーマネジメントでは、ＣＩＥ（Ｉｎｔｅｒｎａｔｉｏｎａｌ  Ｃｏｍｍｉｓｓｉｏｎ  ｏｎ  Ｉｌｌｕｍｉｎａｔｉｏｎ：国際照明委員会）の標準光Ｄ５０で色を合わせた形でプロファイルを作成し、印刷したものである。一方、購入者が届いた商品を確認するとき、あるいは実際に使用する場合の条件は、標準光Ｄ５０の場合に限らず種々の条件が考えられる。
【０００３】
従来の異なる条件下における色再現処理の方法として、装置に依存するデータを、装置に依存しないデータに変換した後、さらに観察条件に対応するデータに変換する方法などが知られている（例えば、特許文献１参照）。
【０００４】
【特許文献１】
特開２０００−５００８６号公報（第６−７頁、第３図）
【０００５】
【発明が解決しようとする課題】
上述のように、購入者が商品を受領して確認する場合の条件や実際に使用する場合の条件は、テレビで放映された商品、あるいは通信販売カタログの商品の撮影条件とは異なり、必ずしも条件の良い光源が備わっているとは限らない。従って、通信販売の場合、注文した商品の色やイメージと、受領した商品の色やイメージが異なっている場合が多いという問題があった。また、特許文献１の図３に示す画像処理装置にあっては、商品が使用される環境を任意に変えて異なる環境におけるその商品の色やイメージの変化を確認することが難しいという問題があった。
【０００６】
この発明は、上記の点に鑑みてなされたもので、その目的は、テレビ映像、あるいは通信販売カタログによって示された商品を、購入希望者が、購入前に予めその商品を使用する条件を選択して、その条件下における商品の色やイメージを確認することができる、あるいは購入希望者が、通信網を介して操作し、商品の置かれる環境を変えて異なる環境下の色やイメージの変化を確認することができる商品確認装置およびその装置を用いたショッピングシステムを提供することにある。
【０００７】
【課題を解決するための手段】
上記の課題を解決するために、請求項１に記載の発明は、標準光による色信号と、標準光と異なる光源によりカラーパッチを撮影したデータとから、色差を算出して標準光と異なる光源の歪みデータを生成する歪みデータ生成手段と、１つまたは複数の標準光と異なる光源の前記歪みデータを光源別特性データとして格納する記憶手段と、標準光により撮影された商品の撮影データを入力する商品データ入力手段と、前記記憶手段に格納された光源別特性データから選択した光源の特性データを読み出す光源選択手段と、前記商品データ入力手段から入力されたデータと、前記光源選択手段により読み出された特性データとから、選択された光源による前記商品の撮影データを生成する撮影データ生成手段と、該撮影データ生成手段により生成された撮影データに基づく商品の画像を表示する表示手段とを具備することを特徴とする商品確認装置である。
【０００８】
また、請求項２に記載の発明は、請求項１に記載の商品確認装置において、前記光源別特性データ記憶手段は、標準光と異なる各光源の歪みデータに加えて、商品を撮影するカメラの位置および光源の位置と数を変えた場合の歪みデータを各撮影環境の特性データとして格納することを特徴とする
【０００９】
また、請求項３に記載の発明は、請求項１に記載の商品確認装置と、該商品確認装置と通信網を接続してデータの送信および受信を行う第１の通信手段とを有する通信販売装置と、商品を指定する番号、商品撮影の環境条件を選択するデータを入力するデータ入力手段と、該データ入力手段から入力されたデータに基づき前記通信販売装置から通信網を介して商品の撮影データを取得する第２の通信手段と、該第２の通信手段により取得された商品データを表示する表示手段とを有する端末装置とを具備することを特徴とするショッピングシステムである。
【００１０】
また、請求項４に記載の発明は、請求項３に記載のショッピングシステムにおいて、前記商品確認装置の撮影データ生成手段は、光源の種類、光源の位置と数、カメラの位置を変えて商品を撮影した撮影データに基づくバーチャルデータを生成し、前記第１の通信手段は、前記バーチャルデータを格納し、前記通信網を介して受信した前記端末装置からの撮影環境を選択するデータに基づいて当該商品の前記バーチャルデータを送信することを特徴とする。
【００１１】
また、請求項５に記載の発明は、請求項３に記載のショッピングシステムにおいて、前記通信販売装置は、遠隔操作可能なカメラと、遠隔操作により光源の種類、位置および数を変えることが可能な光源とをさらに有し、前記端末装置から受信した商品の撮影環境を選択するデータに基づいてカメラ撮影位置と光源を設定して商品の撮影データを生成し、送信することを特徴とする。
【００１２】
【発明の実施の形態】
［第１の実施の形態］
以下、図面を参照して本発明の第１の実施の形態について説明する。図１は、同実施形態の商品確認装置における光源別特性データの生成の手順を示す概念図である。同図において、１００は、標準光Ｄ５０である。１０１は蛍光灯、１０２は白熱灯、１０３は太陽光である。２０は、光源別特性データを格納する記憶装置である。先ず、カラーパッチ（色標）を用いた標準光Ｄ５０・１００による色成分に基づいてプロファイルを生成する。カラーパッチは、イエロウ、マゼンタなどの色成分を所定の割合で変化させ印刷した色見本である。色成分から、ＣＩＥによるＸＹＺ三刺激値が算出される。なお、ＸＹＺ三刺激値にかえてＬａｂ値、あるいはＲＧＢ三刺激値を用いることができる。プロファイルは、ＩＣＣ（Ｉｎｔｅｒｎａｔｉｏｎａｌ  Ｃｏｌｏｒ  Ｃｏｎｓｏｒｔｉｕｍ）によって方式がまとめられ公開されているフォーマット形式を用いる。
【００１３】
次に、蛍光灯１０１によりカラーパッチを撮影し、色成分の検出データを生成する。この色成分の検出データと標準光Ｄ５０・１００によるプロファイルから色差を算出して蛍光灯１０１の歪みデータを生成する（ステップＳ１０）。同様の手順により、順次、白熱灯１０２および太陽光１０３の歪みデータを生成する。ここで、光源として蛍光灯、白熱灯、太陽光を用いたがこれに限るものではなく、他の光源を用いることもできる。生成された歪みデータは、光源別特性データとして記憶装置２０に格納される。
【００１４】
図２は、商品確認装置１０のカラーマネジメントシステムに埋め込まれた商品撮影データ３０を光源別特性データにより変換して表示する処理の流れを説明する図である。商品確認装置１０は、データ入力部、ＣＰＵ（中央演算処理装置）、記憶部、表示装置を備えており、パーソナルコンピュータなどが用いられる。先ず、記憶装置３１に格納されている商品確認装置１０の表示装置プロファイルを用いて、商品確認装置１０に入力された商品撮影データ３０のカラーマネジメントデータへの埋め込み処理を行い（ステップＳ３０）、表示装置の特性を考慮したモニタカラーマッチングデータを生成する。そして、生成されたデータを記憶装置３２に格納する。
【００１５】
次に、記憶装置３２のモニタカラーマッチングデータは、記憶装置２０に格納されている光源別特性データから読み出された所望の光源の特性データにより光源に依存したデータに変換され（ステップＳ３１）、表示装置３３によって表示される。商品撮影データ３０の光源別特性データによる変換処理は、商品確認装置１０に実装されたハードウェアによる方法、あるいはソフトウェアによって行う方法、いずれの方法を用いてもよい。
【００１６】
図３および図４は、商品確認装置１０による通信販売商品の購入の流れを説明する図である。図３（Ａ）〜（Ｄ）および図４（Ｅ）〜（Ｉ）は、各ステップにおける商品確認装置１０の表示装置に表示される例を示している。次に、図３および図４を参照して、商品購入の手順を説明する。ここで、通信販売商品の購入希望者が商品を選択する方法として、オンラインで通信販売カタログにアクセスして商品を選択するものとする。
【００１７】
先ず、購入希望者は、通信販売業者が提供しているカタログにアクセスし（ステップＳ２０）、所望の商品を表示させる（ステップＳ２１）。図３（Ａ）では、標準光Ｄ５０で撮影された商品が表示される。次に、図３（Ａ）に表示されている商品の色の種類から所望の色を選択する（ステップＳ２２）。図３（Ｂ）に示すように選択された色の種類が表示される。ステップＳ２３では、商品が実際に使用される条件を想定して光源を選択し、その光源の下で商品がどのように見えるか、イメージがどのように変化するか確認する。例えば、屋外で使用する場合については、“昼光”を選択し、ホールやレストラン内での使用を考えた場合は、“白熱灯”を選択する。図３（Ｃ）において選択された光源が表示される。
【００１８】
このように、実際に使用する条件下における商品の色やイメージを見て、購入希望の商品であることを確認した後、確認ボタンを押す（ステップＳ２４）。次に、ステップＳ２５において、確認した商品を購入するか否かを判断する。購入する場合（ステップＳ２５：ＹＥＳ）、ステップＳ２６に進み色を選択する。さらに、色を選択した後、商品を確認して購入する場合（ステップＳ２７：ＹＥＳ）、ステップＳ２８に進み購入ボタンを押す。通信販売会社によって購入希望者からの購入通知が正常に受信され、確認されると、図４（Ｉ）に示す応答が表示される。一方、ステップＳ２５において、商品を購入せず“ＮＯ”の場合、処理を終了する。また、ステップＳ２７において、“ＮＯ”の場合、ステップＳ２５に戻る。そして、前回と異なる色を選択する場合、ステップＳ２６に進む。商品を購入しない場合は（ステップＳ２５：ＮＯ）、処理を終了する。
【００１９】
［第２の実施の形態］
以下、図５を参照して、第２の実施の形態によるショッピングシステムを説明する。同図において、５０は、通信販売装置である。５１は、商品を撮影する光源、カメラ位置などを変えた場合の光源別特性データを生成し、この撮影環境を変えた場合のデータに基づいて仮想商品展示を表すバーチャルデータを生成するバーチャルデータ生成部である。５２は、生成されたバーチャルデータを格納する記憶部である。５３は、サーバであり、５４は、サーバ５３から発注データを受けて受注通知を生成する発注部である。４０は、商品購入者側の端末装置であり、パーソナルコンピュータなどが用いられる。通信販売装置５０と端末装置４０は、通信網３００、例えばインターネットによって接続される。なお、端末装置４０の台数に制限はなく任意の台数を通信網３００に接続することができる。
【００２０】
次に、図５を参照して、本実施の形態の動作を説明する。ここで、通信販売商品の購入希望者が商品を選択する方法として、テレビショッピング番組により商品を選択するものとする。先ず、商品の購入希望者は、ＴＶ放送局２０３から放映され、ＴＶ・２０４により受信されたテレビショッピング番組を見て商品番号４１を取得する。次に、端末装置４０を用いて通信網３００介して通信販売装置５０にアクセスし、商品番号４１を送信する。サーバ５３は、商品番号４１を受けて該当する商品データを端末装置４０に送信する。この商品データは、標準光Ｄ５０で撮影された撮影データから成っている。
【００２１】
端末装置４０は、通信販売装置５０から受信した商品データを表示する。購入希望者は、表示された商品を確認し、さらに、実際に使用される条件、あるいは異なる撮影環境、例えば、光源の数やカメラの位置を変えた状態で商品の色やイメージを確認したい場合、その撮影条件を端末装置４０に入力する。端末装置４０は、入力された撮影条件を通信販売装置５０に送信する。サーバ５３は、受信した撮影条件に基づいて、予めバーチャルデータ生成部により生成され記憶部５２に格納されているバーチャルデータの中から該当する条件の商品データを読み出し、端末装置４０に送る。
【００２２】
端末装置４０は受信した商品データを表示する。購入希望者は、表示された商品の色やイメージを確認し、さらに、他の条件で商品を確認したい場合、上述の手順を繰り返し、商品を確認する。商品を確認した後、購入する場合は、商品番号、購入者データを含む発注データ（購入通知）を端末装置４０から通信販売装置５０に送信する。発注部５４は、サーバ５３を介して受信した発注データに基づいて商品販売会社２００へ商品の発注を通知する。商品販売会社２００は、発注通知に基づいて購入者に商品を配送する（ステップＳ１０１）。そして、商品の代金の回収、例えば、購入者の商品受取りを確認して（ステップＳ１０２）、金融機関への購入者の口座からの引き落とし依頼などの処理を行う（ステップＳ１０３）。なお、放送２０３、ＴＶ２０４、端末装置４０はショッピングシステムの形態により、同等の機能を有する異なったメディアまたは装置であってもよい。
【００２３】
［第３の実施の形態］
以下、図６を参照して、第３の実施の形態のショッピングシステムを説明する。なお、同図において、図５と同じ要素には同一の符号を付してその詳細説明を省略する。通信販売装置６０は、サーバ５３を介して受信された商品の撮影条件に基づいて制御信号を生成する遠隔操作対応装置６１と、カメラ６２と、光源１１０と、前記制御信号によりカメラ６２の駆動および光源１１０の制御を行う駆動装置６３を備える。光源１１０は、蛍光灯、白熱灯など複数の光源を備える。
【００２４】
商品の購入希望者は、端末装置４０から商品番号４１を入力して通信販売装置６０から商品データを取得し、表示する。商品の撮影環境を変えて商品の色やイメージを確認したい場合、光源の種類と数、カメラの位置や撮影角度を変える撮影環境を指定するデータを送信する。遠隔操作対応装置６１は、サーバ５３を介して受信した撮影環境を指定するデータに基づいて制御信号を生成する。駆動装置６３は、この制御信号により光源１１０の種類と数、カメラ６２の位置、撮影角度を制御する。
【００２５】
カメラ６２は、設定された条件で商品を撮影し、撮影データを出力する。サーバ５３は、遠隔操作対応装置６１を介して撮影データを受け、この撮影データを含む商品データを端末装置４０へ送信する。端末装置４０は受信した商品データを表示する。上述のように、本実施の形態では、購入者が光源やカメラを制御して撮影環境を設定することができる。
【００２６】
【発明の効果】
以上説明したように、請求項１に記載の発明によれば、通信販売の商品を購入する前に種々の光源の下での色やイメージを確認して、希望する商品を発注できるので、商品を受領してから発注した商品と色やイメージが異なるという購入者からのクレームを少なくできるという効果が得られる。
また、請求項２に記載の発明によれば、光源の種類だけでなく、商品を撮影するカメラの位置や光源の数を変えて商品の色やイメージを確認できるので、実際に商品を使用する環境に近い条件で商品を確認できる。
【００２７】
請求項３に記載の発明によれば、通信販売装置は、通信網を介してアクセスした端末装置の要求に応じて商品データを供給するので、より多くの購入希望者がそれぞれ異なる条件下の商品データを取得して確認できる。
また、請求項４に記載の発明によれば、通信販売装置は、商品データをバーチャルデータとして格納して仮想商品展示の環境を備えるので、実際の商品展示に必要な、商品、カメラ、照明、などの機材が不要になる。
また、請求項５に記載の発明によれば、購入希望者が通信網を介して遠隔操作により商品の撮影環境を変えて商品データを取得することができるので、より詳細に異なる環境における商品の色やイメージの変化を確認できる。
【図面の簡単な説明】
【図１】本発明の第１の実施の形態における商品確認装置の光源別特性データ生成の手順を示す概念図である。
【図２】同実施形態の商品撮影データ３０を光源別特性データにより変換して表示する処理の流れを説明する図である。
【図３】同実施形態の商品確認装置を用いた商品購入の流れを説明する図である。
【図４】同実施形態の商品確認装置を用いた商品購入の流れを説明する図である。
【図５】第２の実施の形態によるショッピングシステムの構成を示す図である。
【図６】第３の実施の形態によるショッピングシステムの構成を示す図である。
【符号の説明】
１０  商品確認装置
２０  記憶装置
３０  商品撮影データ
４０  端末装置
５０、６０  通信販売装置
５１  バーチャルデータ生成部
５２  記憶部
５３  サーバ
５４  発注部
６１  遠隔操作対応装置
６２  カメラ
６３  駆動装置
１１０  光源
【図１】
2004280681.tif 000003
【図２】
2004280681.tif 000004
【図３】
2004280681.tif 000005
【図４】
2004280681.tif 000006
【図５】
2004280681.tif 000007
【図６】
2004280681.tif 000008